(57)【要約】１つの巻き枠支え部と、１つの回転押え棒を含む１つの巻き取り機構と、糸が巻かれる１つの巻き枠部分を該巻き枠部分よりも大きな径の１つのスカート部と共に有する１つの巻き枠とを備え、１つの突起部分を、糸が突起部分上に保持されるように糸の１つの湾曲部分が巻き枠から突起部に這わせられることが可能であるように、巻き枠部分は有し又は巻き枠部分に隣接するスカート部自体の縁にスカート部は有し、投げ込みの最後に糸が軸方向へ引っ張られたとき、投げ込みをくい止めるものの、突起部分まわりでの糸の角度的な偏移を改めるために巻き枠及び・又は押え棒を回しながら糸を引っ張ることの結果として糸が突起部分から自動的に開放される、固定巻き枠釣りリールを開示する。【選択図】  図６
2004528015.tif 000002
【特許請求の範囲】
【請求項１】
１つの巻き枠支え部と、１つの回転押え棒を含む１つの巻き取り機構と、糸が巻かれる１つの巻き枠部分を該巻き枠部分よりも大きな径の１つのスカート部と共に有する１つの巻き枠とを備え、１つの突起部分を、前記糸が前記突起部分上に保持されるように前記糸の１つの湾曲部分が前記巻き枠から前記突起部に這わせられることが可能であるように、前記巻き枠部分は有し又は前記巻き枠部分に隣接する前記スカート部自体の縁に前記スカート部は有し、投げ込みの最後に前記糸が軸方向へ引っ張られたとき、投げ込みをくい止めるものの、前記突起部分まわりでの前記糸の角度的な偏移を改めるために前記巻き枠及び・又は前記押え棒を回しながら前記糸を引っ張ることの結果として前記糸が前記突起部分から自動的に開放される、固定巻き枠釣りリール。
【請求項２】
前記突起部分は、浅い下くり抜き部分と、糸出口部とを有し、該糸出口部は、角度的偏移が変化すると、前記下くり抜き部分の外へ前記糸を案内する１つの面を有する、請求項１記載のリール。
【請求項３】
前記突起部分は、曲がりやすい構造の１つの連携する糸保持物を有する、請求項２記載のリール。
【請求項４】
前記巻き枠の回りに間隔を置いて置かれる複数の突起部分を有する、請求項１〜３のいずれか一項に記載のリール。
【発明の詳細な説明】
【技術分野】
【０００１】
本発明は固定巻き枠釣りリールに関する。
【背景技術】
【０００２】
従来において、そのようなリールは１つの巻き枠支え部（スプールホルダー）と、１つの回転押え棒を含む１つの巻き取り機構と、通常は交換できる１つの巻き枠（スプール）とを有し、巻き枠は釣り糸（ライン）が巻かれる１つの巻き枠部分（スプールポーション）を該巻き枠部分よりも大きな径の１つのスカート部（スカートポーション）と共に有し、スカート部は巻き枠をリールに搭載するのに役立つ。
【０００３】
固定巻き枠リールの最も多い設計でのスカート部は糸保持クリップを有し、これは巻き枠部分に隣接するスカート部の縁（リム）に置かれる。それの意図される目的は、巻き枠が使われていないときに、糸の端を保持するためであり、糸がほどけるのを防ぐ。
【０００４】
固定巻き枠リールが取り付けられた釣り竿（ロッド）を用いた魚釣りの場合、投げ込んだとき、そのリールは望ましく、あるいは餌が進まされる距離を制限するのに必須でさえある。
【０００５】
１つの普通の方法は、目標に届かないように投げ込み、安全に繰り出され得る更なる量の糸を見積もることによって、最適な位置を見つけ出すことである。次いで、釣り人は、弾力のあるひも（バンド）又は似たもので、あるいは糸用クリップ(通常、固定巻き枠リールに取り付けられる)を使うことにより、糸を固定する。糸はリールに巻き戻され、目標のエリアへ再度投げ込まれる。この時、投げ込みは固定手段によって制限されるものの、更なる量の糸が目標地点に達するために要求されるであろう。このことは繋ぎ体を取り外すこと、更なる糸を繰り出すこと及びそれを固定巻き枠に再度固定することを必然的に伴う。このプロセスは数回繰り返さなければならないだろう。
【発明の開示】
【発明が解決しようとする課題】
【０００６】
弾性物の使用は面倒であり、それは繰り返される投げ込みに耐えられなく、また、それは巻き枠に巻くことを邪魔し得る。
【０００７】
糸用クリップの使用はもっと便利であるものの、一般にこの目的（糸が使われていないときに、糸が巻き枠から外れるのを防ぐために糸の端を固定することである）のためにデザインされていない。実際問題としては、糸を引っ掛けることは困難であり、クリップによって及ぼされる圧迫のためにクリップは糸に損傷を引き起こす。このことは、投げ込み制限機としてクリップが用いられる場合に、糸がその限界に達するとき生ずる“ひったくり”によって更に悪くなる。クリップは糸を切り進むがっしりした停止体として働くので、魚が暴れると悲惨なことになる。いずれにしても、糸の損傷は耐えられないことである。
【０００８】
本発明は、弾力性のあるひも又は従来の糸用クリップよりも使用するに便利であり、かつ糸に如何なる損傷をも引き起こさない目標への投げ込みの目的で、糸の１つの湾曲部分（ループ）を固定する手段を与えることを目的とする。
【課題を解決するための手段】
【０００９】
本発明は、１つの巻き枠支え部と、１つの回転押え棒を含む１つの巻き取り機構と、糸が巻かれる１つの巻き枠部分を該巻き枠部分よりも大きな径の１つのスカート部と共に有する１つの巻き枠とを備え、１つの突起部分（ポメル）を、糸が突起部分上に保持されるように糸の１つの湾曲部分が巻き枠から突起部に這わせられることが可能であるように、巻き枠部分は有し又は巻き枠部分に隣接するスカート部自体の縁（リム）にスカート部は有し、投げ込みの最後に糸が軸方向へ引っ張られたとき、投げ込みをくい止めるものの、突起部分まわりでの糸の角度的な偏移を改めるために巻き枠及び・又は押え棒を回しながら糸を引っ張ることの結果として糸が突起部分から自動的に開放される。
【００１０】
突起部分（ポメル）は、従来の糸保持クリップの深い下くり抜き部分と比較して、浅い下くり抜き部分と、糸出口部とを有し、該糸出口部は、出て行く糸が巻き枠の軸方向へ向けて引っ張られるとき、下くり抜き部分の外へ糸を案内する１つの面を有する。
【００１１】
突起部分は、曲がりやすい構造の連携する糸保持物を有してもよい。
【００１２】
複数の突起部分（ポメル）が巻き枠の回りに互いに間隔を置いて置かれてもよい。
【発明を実施するための最良の形態】
【００１３】
本発明に係るリールの１つの実施形態が添付図面を参照して説明される。
【００１４】
複数の図面は１つの足部１２を有する１つの固定巻き枠釣りリール１１を示し、該リール１１は足部１２によって１つの釣り竿１３の竿尻に固定される。リール１１は、巻き機構を有し、該巻き機構は１つの巻きハンドル１４と、１つのギヤボックス１５とを備える。１つの押え棒１６はギヤボックス１５の回りを回転し、ギヤボックス１５は１つの巻き枠１８に釣り糸（ライン）１７を巻きつけ、糸が投げ込みに対して巻き枠１８から自在にするする動くことを許すようにギヤボックス１５は“オフ”位置に設定し得る。“固定巻き枠”と名づけるものの、巻き枠１８は実際には自在に又は調節し得る抗力物（ドラグ）に抗して回転し得る、あるいは回転に抗してロックされ得る。様式はリールに関する制御によって設定される。
【００１５】
巻き枠１８は取り外しでき、異なった重みの糸が付いた異なる巻き枠が代用され得る。図２は、糸１７が巻かれた巻き枠部分１８ａとリール１１に搭載するためのスカート部分１８ｂとを備える従来の巻き枠１８を示す。スカート部分１８ｂは巻き枠部分１８ａに隣接するその縁に糸保持クリップ１９を有する。巻き枠が使われていないとき、ほどける糸１７に逆らって、糸の端を保持するように予定されているクリップ内に保持される糸１７が示される。
【００１６】
このクリップ１９は目標へ向けて投げ込む釣り人たちにより時々用いられる。選ばれた地点に正確に命中させるため、釣り人はリール上での適切な糸の位置での繋ぎ体によって投げ込みを制限する。クリップ１９は繋ぎ体として用いられるものの、このような目的のためにデザインされていなく、それは糸に損傷を与え得るので、それは実際には適当でなく、損傷した糸は捕獲物を失うことを意味する。
【００１７】
本発明では、クリップ１９を、図３に示されかつ図６及び図７により詳細に示されるように、鞍前方部のような１つの突起部分（ポメル）２１に置き換える。突起部分２１は浅い下くり抜き部分２２と糸出口部２３とを有し、該糸出口部２３は、出て行く糸が巻き枠１８の軸方向へ向けて引っ張られるように、下くり抜き部分２２の外へ糸を案内する１つの面を有する。
【００１８】
この動きは、図３、図４及び図５に最も良く描かれている。図３の状況では、糸１７の１つの湾曲部分（ループ）１７ａが巻き枠１８から突起部分２１へ這わせられ、糸１７が巻き枠から離れて軸方向へ引っ張られたとき、状況は投げ込みの終わりになる。この状況で、糸１７は突起部分２１で捕捉され、もう糸は逃げ出すことができない。
【００１９】
図４の位置では、糸は突起部分２１及び押え棒１６のローラに這わせられる。押え棒１６及び突起部分２１が図５の位置へ相対的に移動するので、突起部分２１上での糸１７の角度はそれを突起部分から離すように滑らすように変化する。このことは、糸に損傷を危うく与えることなく、魚が餌と共に走ることを許す。
【００２０】
１つのゴム製の材料又は弾力のあるプラスチック材料の糸保持部２４は、糸１７が突起部分とのかみ合いからふとしたことにより外れないように糸１７を保っておく。
【００２１】
つまり、突起部分２１は、従来の糸保持クリップ１９が用いられるように、あるいはむしろ間違って用いられるけれども、糸の損傷又は破損の付随する不利益なしで、正確に用いられ得る。
【００２２】
それでも、糸保持クリップ１９は、もちろん、備えることができ、突起部分２１はそれの最上部に作られてもよい。
【００２３】
特に図８、図９及び図１０に描かれているように、突起部分の配置は巻き枠１８の縁内で型に入れて作っても良く、縁の外に機械で作られてもよい。
【００２４】
あるリールに関しては、巻き枠とスカートは分離しており、そのようなリールに関して、突起部分は、あたかも巻き枠と一体的であるかのように、正確にスカート部分上に、あるいは、もちろん、巻き枠自体の縁の上に、配置されることが可能である。
【００２５】
実際には、糸の巻き枠は押え棒のローラの位置へ向けて回転するので、押え棒のローラが繋ぎ体と一列に整列する前に、繋ぎ体は幾分かの距離を開放される。
【００２６】
繋ぎ体の曲がり性のため、重いおもり又は餌入れ（フィーダ）などの連続的な投げ込みにおいてさえ、糸に如何なる損傷をも起こさない。
【００２７】
もちろん、複数の突起物が巻き枠回りに配置されてもよい。
【００２８】
繋ぎ体は、左手又は右手巻きリールに関する使用に適合されてもよく、あるいは、両方の巻きに関し等しく使用に適合されてもよく、また、その頑丈な構造のために、それは軽い破断ひずみの糸のみならず、重い破断ひずみの糸と共に使用され得る。
【００２９】
クロムめっき又はそれに似ためっきにより、繋ぎ体での摩擦を減じるようにしても良い。
【００３０】
また、釣り人の助力として、電子式表示器に繋ぎ体が開放されたことを示すようにしてもよい。
【図面の簡単な説明】
【００３１】
【図１】本発明が関係する種類の固定巻き枠リールの図である。
【図２】従来の糸保持クリップを備える巻き枠の図である。
【図３】本発明に係る鞍前方部のような１つの突起部分を備える巻き枠の図である。
【図４】糸を保持する状態にある図３の巻き枠の図である。
【図５】突起部分からまさに開放されようとしている糸に関連する図４のような図である。
【図６】拡大した突起部分の面を示す図である。
【図７】図６の突起部分の側面図である。
【図８】図６に似た、異なるデザインの突起部分の正面図である。
【図９】図８の突起部分の矢視Ａの図である。
【図１０】図８の突起部分の矢視Ｂの断面図である。
【図２】
2004528015.tif 000003
【国際公開パンフレット】
2004528015.tif 000004
2004528015.tif 000005
2004528015.tif 000006
2004528015.tif 000007
2004528015.tif 000008
2004528015.tif 000009
2004528015.tif 000010
2004528015.tif 000011
2004528015.tif 000012
2004528015.tif 000013
【国際調査報告】
2004528015.tif 000014
2004528015.tif 000015